(57)【要約】【課題】グラフの理解を深めるため付加情報を表示する。【解決手段】表示制御部３８は、グラフ生成部３４で生成されたグラフの表示を制御する。また、これと共に、関連情報データベース３２からグラフに関連する性能確認情報やシステムダイヤグラムを読み出して表示する。この性能確認情報やシステムダイヤグラムはグラフの理解のために重要な情報である。性能確認情報は、グラフに異常データが現れた場合、グラフに関連する所定の設備機器１４の性能劣化を示唆する。システムダイヤグラムには、グラフに関連する設備機器１４の設置箇所が示されており、グラフの理解を深めることができる。【選択図】図１
2006318405.tif 000002
【特許請求の範囲】
【請求項１】
ビルに設置された設備機器の点検情報を提供する設備機器の情報提供装置であって、
ビルに設けられたセンサにより測定された測定データ又は測定データから生成された管理データに基づいて、グラフを生成するグラフ生成手段と、
前記グラフに対応した所定の設備機器の性能確認情報を前記グラフと関連づけて記憶する記憶手段と、
前記グラフと関連づけて性能確認情報を表示するグラフ表示制御手段と、
を備えることを特徴とする設備機器の情報提供装置。
【請求項２】
ビルに設置された設備機器の点検情報を提供する設備機器の情報提供装置であって、
ビルに設けられたセンサにより測定された測定データ又は測定データから生成された管理データに基づいて、グラフを生成するグラフ生成手段と、
前記グラフに関連する設備機器を含む設備システムとセンサの設置位置が示されたシステムダイヤグラムを前記グラフと関連づけて記憶する記憶手段を備え、
前記グラフと関連づけてシステムダイヤグラムを表示するグラフ表示制御手段と、
を備えることを特徴とする設備機器の情報提供装置。
【請求項３】
請求項１に記載の設備機器の情報提供装置であって、
前記グラフに関連する設備機器を含む設備システムとセンサの設置位置が示されたシステムダイヤグラムを前記グラフと関連づけて記憶する記憶手段を備え、
前記グラフ表示制御手段は、前記グラフと関連づけてシステムダイヤグラムを表示することを特徴とする設備機器の情報提供装置。
【請求項４】
請求項１〜３に記載の設備機器の情報提供装置であって、
前記グラフ表示制御手段は、前記グラフを表示すると共に性能確認情報及び／又はシステムダイヤグラムを同時に表示することを特徴とする設備機器の情報提供装置。
【請求項５】
請求項１〜４の何れか１項に記載の設備機器の情報提供装置であって、
設備機器の性能に基づいて予め設定された設計値及び／又は許容範囲を含む比較データを、前記グラフに重畳表示させる比較データ表示制御手段を備えること特徴とする設備機器の情報提供装置。
【請求項６】
請求項５に記載の設備機器の情報提供装置において、
測定データ又は管理データが許容範囲内か否か判定するデータ判定手段を備え、
前記グラフ表示制御手段は、前記データ判定手段が許容範囲外と判定された異常データを許容範囲内であると判定された正常データと区別したグラフを生成することを特徴とする設備機器の情報提供装置。
【請求項７】
請求項５に記載の設備機器の情報提供装置において、
測定データ又は管理データが許容範囲内か否か判定するデータ判定手段と、
許容範囲外と判定された異常データに関する詳細な情報を表示する詳細情報表示制御手段と、
を備えることを特徴とする設備機器の情報提供装置。
【発明の詳細な説明】
【技術分野】
【０００１】
本発明は、設備機器の情報提供装置、特に、ビルに設けられたセンサにより測定された測定データ等から設備機器の点検情報を提供する設備機器の情報提供装置に関する。
【背景技術】
【０００２】
近年、エネルギー消費対策は、製造業等の生産業自体のみならず、あらゆるエネルギー利用者側での省エネルギー対策が要望されている。エネルギーの使用の合理化に関する法律（以下、省エネ法という）では、製造業などの５業種に加えて、熱量、電気などの年間エネルギー使用量が所定値以上のビル等もエネルギー管理の指定を受けるように改正された。エネルギー管理の指定対象となると、エネルギー使用量報告や使用の合理化、いわゆる省エネの努力義務が課されることになる。
【０００３】
ビルのエネルギー管理のため、ＢＥＭＳ（Building  and  Energy  Management  System）と呼ばれるビルのエネルギー管理システムが開発され、実用化されている。このＢＥＭＳは、ビルのエネルギー消費に関する設備システムの監視・制御や運転時におけるエネルギー消費等の計測を自動化・一元化する管理システムを指向している。
【０００４】
【非特許文献１】ビルのエネルギー管理ガイド  財団法人省エネルギーセンター編
【発明の開示】
【発明が解決しようとする課題】
【０００５】
ところで、省エネ対策を行うには、エネルギー使用量を把握し、その上で設備システムの無駄な運転を止め、実質的なエネルギー消費量を減らすことが考えられる。一方で、設備システムを構成する設備機器が本来の性能を発揮してエネルギー効率の良い運転の仕方をしているのか点検することも肝要である。すなわち、設備機器に不具合が生じたり、設備機器が劣化している場合には、エネルギー変換効率が悪く、無駄にエネルギーを消費しているからである。このような場合には、設備機器を交換、修理することにより、エネルギー消費量を減らすことができる。
【０００６】
この設備機器の性能を評価するためには、直接点検する方法も考えられるが、定期的に総てのビルの設備機器を点検するのは手間である。
【０００７】
上述したＢＥＭＳは、種々の測定データを持っており、その測定データからグラフを作成するグラフ作成機能を有している。例えば、設備機器に不具合が生じたり、設備機器が劣化していれば、このグラフに異常データとして現れるはずである。しかしながら、ビル設備を熟知していたり、専門知識を持っている者でなければ、このようなグラフから異常データを読み取り、そのグラフに関連してどの設備機器を点検すべきなのかを即座に把握することができない。
【０００８】
そこで本発明は、上記課題に鑑みなされたもので、測定データ等に基づいて作成されるグラフから設備機器の点検情報を提供することを目的とする。
【課題を解決するための手段】
【０００９】
本発明の設備機器の情報提供装置は、ビルに設置された設備機器の点検情報を提供する設備機器の情報提供装置であって、ビルに設けられたセンサにより測定された測定データ又は測定データから生成された管理データに基づいて、グラフを生成するグラフ生成手段と、グラフに対応した所定の設備機器の性能確認情報をグラフと関連づけて記憶する記憶手段と、グラフと関連づけて性能確認情報を表示するグラフ表示制御手段と、を備えることを特徴とする。
【００１０】
上記設備機器の情報提供装置において、更に、グラフに関連する設備機器を含む設備システムとセンサの設置位置が示されたシステムダイヤグラムをグラフと関連づけて記憶する記憶手段を備え、グラフ表示制御手段は、グラフと関連づけてシステムダイヤグラムを表示することを特徴とする。
【００１１】
本発明の設備機器の情報提供装置は、ビルに設置された設備機器の点検情報を提供する設備機器の情報提供装置であって、ビルに設けられたセンサにより測定された測定データ又は測定データから生成された管理データに基づいて、グラフを生成するグラフ生成手段と、グラフに関連する設備機器を含む設備システムとセンサの設置位置が示されたシステムダイヤグラムをグラフと関連づけて記憶する記憶手段を備え、グラフと関連づけてシステムダイヤグラムを表示するグラフ表示制御手段と、を備えることを特徴とする。
【００１２】
また、設備機器の情報提供装置において、グラフ表示制御手段は、グラフを表示すると共に性能確認情報及び／又はシステムダイヤグラムを同時に表示することを特徴とする。
【００１３】
更に、設備機器の情報提供装置において、設備機器の性能に基づいて予め設定された設計値及び／又は許容範囲を含む比較データを、グラフに重畳表示させる比較データ表示制御手段を備えること特徴とする。
【００１４】
更に、設備機器の情報提供装置において、測定データ又は管理データが許容範囲内か否か判定するデータ判定手段を備え、グラフ表示制御手段は、データ判定手段が許容範囲外と判定された異常データを許容範囲内であると判定された正常データと区別したグラフを生成することを特徴とする。
【００１５】
更に、設備機器の情報提供装置において、測定データ又は管理データが許容範囲内か否か判定するデータ判定手段と、許容範囲外と判定された異常データに関する詳細な情報を表示する詳細情報表示制御手段と、を備えることを特徴とする。
【発明の効果】
【００１６】
本発明によれば、グラフの表示と共にグラフに関連する設備機器の点検情報、性能確認情報やシステムダイヤグラムを表示することにしたので、グラフの理解を高めることができる。
【発明を実施するための最良の形態】
【００１７】
以下、発明を実施するための形態（以下、実施形態という）について、図面を参照し説明する。
【００１８】
図１は、本実施形態の設備機器の情報提供装置を含むＢＥＭＳ（Building  and  Energy  Management  System）を示す構成図である。ここで、ＢＥＭＳは、ビルに設置されたエネルギーを消費する空調設備等の設備システムやそれを構成する設備機器の管理するシステムであり、監視機能、自動制御機能、データ測定、測定データの分析、記録機能、通信機能等を有する。本実施形態において、設備機器の情報提供装置１０は、ネットワークで接続された中継装置等を介して、ビルＢ側に設けられたセンサから測定データを収集し、所定のグラフを作成すると共に関連する点検情報を提供する。
【００１９】
ビルＢには、エネルギーを消費する設備システム１２として、空気調和設備、給湯設備等が設置され、それを構成する様々な設備機器１４が設けられている。設備機器１４は、冷凍機や空調機、ポンプ、エレベータ、エスカレータなどに使われる電動機、照明器具などがある。これら設備機器１４には、その目的を果たすために必要とするエネルギーが供給される。このエネルギーは、電気や気体燃料のガス（都市ガス、ＬＰＧ（液化石油ガス）等）、液体燃料の灯油、重油などである。また、ビルＢには、設備システム１２が運転したとき、設備機器１４のエネルギー消費量や環境変化を測定するセンサ１６が多数設けられている。このセンサ１６は、積算電力計、積算流量計、積算熱量計であって、設備機器１４それ自体に組み込まれたり、エネルギー供給の大元となる配電盤や制御板等の所要部位に付設されている。また、空気調和設備の運転による環境変化（ＣＯ濃度の変化）等も検知するセンサも設けられている。これらセンサ１６が測定した測定データは、随時中央監視装置１８に送られている。
【００２０】
記録装置２０は、例えば、１時間に１回、中央監視装置１８の測定データを読み出し記録する。
【００２１】
次に、設備機器の情報提供装置１０の構成について説明する。
【００２２】
設備機器の情報提供装置１０は、各種のデータを記録する記憶装置２４、全体を制御する制御装置２２と、入力装置２６、出力装置２８と、で構成されている。
【００２３】
記憶装置２４は、グラフ作成のための測定データ／管理データを記憶するグラフデータベース３０と、グラフ作成に関連する関連情報データベース３２で構成されている。
【００２４】
グラフデータベース３０は、記録装置２０から測定データを読み出し記憶する。または、複数の測定データのうちグラフ作成に必要な測定データのみを読み出し記憶しても良い。読み出すべき測定データが多い場合には、この記憶作業は、例えば、深夜に行うことが望ましい。センサ１６が積算計の場合には、分、時間、日、月、年毎等の積算データが記憶される。また、積算データではない場合には、グラフ作成の際の処理スピードを短縮化するために、所定の単位の分、時間、日、月、年単位の積算データに変換して記憶すると好適である。また、これら測定データや積算データを元に負荷率や他のエネルギー換算した換算データ等からなる管理データを記憶しても好適である。測定データは、上述したように、記録装置２０から読み出されるが、センサ１６の測定データを、後述する入力装置２６によって入力しても好ましい。また、測定データ又は管理データと共に測定された日時等の属性情報も合わせて記憶されている。
【００２５】
関連情報データベース３２には、作成されるグラフと関連づけられて、設備機器の性能確認情報、システムダイヤグラム等の設備機器の点検情報、比較データが予め記憶されている。
【００２６】
設備機器の性能確認情報は、作成されるグラフの測定データに影響を与える所定の設備機器１４を示唆したり、不具合、性能劣化等の可能性を示唆する情報である。更に、不具合の態様（汚れの堆積等）、設備機器の不具合と考えられる箇所を示しても良い。基本的には、文章情報であるが、簡単な設備機器マークと絵記号（警告記号）等を組み合わせた簡単な表示情報としても良い。
【００２７】
システムダイヤグラムは、グラフに関連する設備機器を含む設備システムとセンサの設置位置が示された情報である。システムダイヤグラムは、グラフの理解を深めるためのものであり、基本的には、設備機器とセンサの設置位置が示されている。システムダイヤグラムは、図で示されるが、記号や文章も用いられる。空調設備であれ、燃焼設備であれ、どのようなシステムでどのような設備機器が含まれて、どのポイントでデータが測定されたのか理解できる情報であることが好ましい。したがって、点検対象となる設備機器以外の設備機器もできるだけ記載することが望ましい。よって、制御サブシステムを書き加えても良い。例えば、凝縮器に関連するグラフであれば、凝縮器を含む空調設備システムとセンサ１６の設置位置が示される。また、システム図のみで制御内容を理解できない場合には、制御動作や制御スケジュール、制御用設定条件、制御フローチャートが付加される。
【００２８】
なお、上述した性能確認情報とリンクさせてもよく、性能状態確認情報に記述された設備機器は特に解りやすく書くと良い。
【００２９】
比較データは、設備機器の性能に基づいて予め設定された設計値及び／又は許容範囲の少なくとも一方を含む。許容範囲は、下限値、上限値の少なくとも一方を含んでいる。また、許容範囲は、基本性能から求められる許容範囲であっても良く、また、任意の許容範囲を設定しても良く、例えば、管理標準値でも良い。管理標準値とは、省エネ法の特定事者がエネルギーの使用の合理化に関する管理、計測、記録、保守・点検を行うため自ら定めるマニュアル中の基準値である。
【００３０】
制御装置２２は、ＣＰＵ、ＲＡＭ、ＲＯＭからなり、制御プログラムも格納されている。この制御装置２２は、一般的なオペレーティングシステム（ＯＳ）で動作する。制御装置２２は、グラフ生成部３４，データ判定部３６、表示制御部３８で構成されている。
【００３１】
グラフ生成部３４は、グラフデータベース３０から測定データ又は管理データを読み出して、グラフを生成する。生成されるグラフは、トレンドグラフ、頻度分布図、散布図等であり、分、時間、日、月、年等の単位で作成可能である。グラフ生成部３４は、グラフ生成の際にデータ精度を上げるために、測定データ値から設備システムの運転外の測定データをフィルタリングしても良い。具体的には、測定データが”０”のものを除外する。また、グラフ生成部３４は、グラフデータベース３０の測定データから負荷率、エネルギー単位変換を行い自ら管理データを生成し、グラフを作成しても良い。
【００３２】
データ判定部３６は、関連情報データベース３２から比較データを読み出し、グラフ作成の元となった測定データ又は管理データが許容範囲内か否か判定する。
【００３３】
表示制御部３８は、各種の表示を制御する。まず、グラフ生成部３４で生成されたグラフの表示を制御する。また、これと共に、関連情報データベース３２からグラフに関連する性能確認情報やシステムダイヤグラムを読み出して表示する。この性能確認情報やシステムダイヤグラムはグラフの理解のために重要な情報であるので、操作者がグラフと関連づけられて表示されていることを認識可能に表示すると良い。例えば、所定のグラフを選択する過程で常に表示させたり、また、グラフの表示と同時に性能確認情報又はシステムダイヤグラムを表示させる。また、これらグラフ、性能確認情報、システムダイヤグラムの３つの情報を同時に表示させても良い。また、表示制御部３８は、比較データをグラフに重畳表示させる。このとき、グラフと比較データを異なる色で表示すると良い。表示制御部３８は、データ判定部３６の判定結果に応じて、許容範囲外であると判定された異常データを許容範囲内と判定された正常データと区別して表示させる。これは、異なる表示色を用いることで行うことができる。また、データ判定部３６の判定結果に応じて、異常データに関する詳細な情報、例えば、発生時刻等をグラフデータベース３０から読み出し表示する。
【００３４】
入力装置２６は、キーボート、マウス等からなり、ユーザーの指示入力が与えられる。
【００３５】
出力装置２８は、ディスプレイ、プリンタなどからなり、表示制御部３８が処理した表示内容を出力する。
【００３６】
以下、好適な具体例について、１次側受入積算熱量と２次側供給積算熱量と駐車場ＣＯ制御について説明する。
【００３７】
＜１次側受入積算熱量と２次側供給積算熱量＞
まず、１次側受入積算熱量と２次側供給積算熱量の例について説明する。図２は、グラフ選択の画面推移を示す図であり、図３は、グラフ表示画面を示す図であり、図４は、比較データが重畳表示されたグラフを示す図であり、図５は、異常点情報を示す図であり、図６は、システムダイヤグラムを示す図である。
【００３８】
図２（Ａ）に示すように、メニュー画面５０が示され、設備システムの性能検証５２を選択する。設備システムの性能検証５２が、本発明のグラフ作成及び点検情報を提供するための選択メニューである。
【００３９】
次に、図２（Ｂ），（Ｃ）に示すように、グラフ選択画面に切り替わり、作成可能なグラフが表示される。グラフの選択メニュー５４が画面左上に示され、小分類メニュー５６が画面右側に表示される。また、選択メニュー５４の下の説明領域に、このグラフに関連する設備機器の点検情報として性能確認情報５８が表示される。この選択画面から、１次側受入積算熱量と２次側供給積算熱量６０（図２（Ｂ））と、全館（温水）６２（図２（Ｃ））を選択する。全館（温水）６２を選択候補にすると、システム系統図表示アイコン６４が有効になる。ここで、全館（温水）６２を選択すると、グラフが表示され、システム系統図表示アイコン６４をクリックすると、このグラフに関連するシステムダイヤグラムが表示される。
【００４０】
まず、グラフについて説明する。
【００４１】
図２（Ｃ）で全館（温水）６２を選択する。グラフ生成部３４は、グラフデータベース３０から１次側受入積算熱量と２次側供給積算熱量に関する測定データ又は管理データを読み出し、グラフを生成する。表示制御部３８が、図３に示すように、１次側受入積算熱量と２次側供給積算熱量のグラフ６６をディスプレイに表示させる。
【００４２】
この表示画面の説明領域に、このグラフ６６に関連する設備機器の性能確認情報５８が表示される。この例では、「熱量計の測定精度及びＤＨＣ受入熱交換器の熱損失と劣化を検証する。」と表示されている。このように、グラフ６６と関連付けられて性能確認情報５８が表示されるので、システム全体をあまり理解していない者や専門知識が乏しい者のグラフ６６の理解を助けることができる。この例では、図２（Ｂ），（Ｃ）に示すように、グラフの選択画面からこの性能確認情報５８が表示されており、しかも、グラフ６６が表示された時にも性能確認情報５８が表示されるので、グラフ６６の理解を助けることができる。なお、この性能確認情報５８によれば、設備機器としてＤＨＣ受入熱交換器の熱損失や劣化を検証できることが示唆されている。
【００４３】
更に、本実施形態では、このグラフ６６のデータに対する基準値、許容範囲が表示され、また、データが許容範囲か否か判定することができる。このような機能により、操作者は、グラフから異常データを容易に読み取ることができる。
【００４４】
図３に示す設計値・許容値表示６８をオンする。表示制御部３８は、関連情報データベース３２からこのグラフ６６に関連する比較データを読み出し、このグラフ６６に比較データを重畳表示させる。図４に、比較データが重畳表示された例が示されている。例えば、設計値７０が黒色で表示され、許容範囲を示す下限値７２及び上限値７４がピンク色で示される。これにより、グラフ６６の測定データが許容範囲内か否か容易に理解することができる。
【００４５】
また、設計値・許容値表示６８の設定により、データ判定部３６は、グラフの測定データが許容範囲内か否か判定し、表示制御部３８は、許容範囲外と判定された異常データを許容範囲内と判定された正常データと区別して表示する。例えば、正常データ７６は当初の表示と同じ青色、異常データ７８は赤色で表示される。
【００４６】
更に、図４のグラフ６６の右上の異常点情報８０をクリックする。表示制御部３８は、グラフデータベース３０から異常データ７８の属性情報を読み出し、別ウィンドウ等で詳細情報を表示させる。図５に示すように、異常データ７８の発生時刻が表示される。これにより、発生時刻からデータに影響を与えた環境変化などの環境要因について推察することができる。
【００４７】
このグラフ６６を検討の際に、グラフ６６に関連した設備システムを知らない場合や、異常データがある設備機器の位置を確認したい場合がある。そこで、この例では、このグラフ６６に関連するシステムダイヤグラムを表示することができる。
【００４８】
図２（Ｃ）の画面に戻り、システム系統図表示アイコン６４をクリックすると、表示制御部３８は、関連情報データベース３２からこのグラフに関連するシステムダイヤグラムを読み出し、例えば別ウィンドウなどで表示させる。このシステムダイヤグラムにより、システム全体及び測定ポイントを理解することができ、グラフ６６の理解を深めることができる。
【００４９】
図６の示すシステムダイヤグラム８２では、１次側温水経路が矢印８４で示され、２次側温水経路が矢印８６で示され、１次側温水経路８４は、１次側温水ヘッダーで各階に分配されて循環する。また、熱交換器８８が示され、１次側と２次側は熱交換器８８で熱交換が行われている。さらに、１次側の熱量が測定される１次側熱量計９０（Ｎｏ５）や、２次側の熱量が測定される２次側熱量計９２（Ｎｏ２１，５４，８７，１０４）も図示され、センサの設置位置を確認することができる。したがって、グラフ６６に異常データが含まれる場合には、熱交換器８８等での熱損失（放熱）が大きい場合、不具合を推定することができる。
【００５０】
＜駐車場ＣＯ制御＞
次に、駐車場のＣＯ制御データの例について説明する。図７は、駐車場のＣＯ制御データのグラフを示す図であり、図８は、システムダイヤグラムを示す図である。前述した同様の手順に従ってグラフ表示等が行われるので、この例については、重複する部分についてはその説明を省略する。
【００５１】
図２を用いて説明したように、グラフ選択画面から駐車場ＣＯ濃度と給排気インバーター出力の低層（Ｂ４Ｆ駐車場）を選択する。
【００５２】
図７に示すように、駐車場ＣＯ濃度と給排気ファンインバーター出力のグラフ９４が表示される。このグラフは、図４に相当するグラフであり、設計値７０，下限値７２、上限値７４も重畳表示されている。また、グラフ左下画面の説明領域には、性能確認情報９６が表示されている。この性能確認情報９６は、「駐車場ＣＯ濃度に応じて排気ファンインバーター周波数が変化することを確認、ＣＯ濃度による排気量制御が正常に機能しているかを検証する。」と示している。この性能確認情報９６により、異常データがある場合には排気ファンインバーターの性能が悪くなっていることがわかる。
【００５３】
また、図８は、このグラフ９４に関連するシステムダイヤグラム９８であり、グラフ９４の検証対象となる駐車場の排気ファン１００、吸気ファン１０２が示されると共に、測定センサとして、駐車場のＣＯ検知センサ１０４と電流計１０６が示されている。また、このシステムダイヤグラム９８には、制御内容１０８、すなわち、「駐車場のＣＯ濃度が８ｐｐｍ・・・給排気ファンのインバーターにより回転数を制御する。」と記載されている。
【００５４】
したがって、グラフ９４とシステムダイヤグラム９８から、ＣＯ濃度は８ｐｐｍ以下になるように排気ファン１００、吸気ファン１０２が制御されていることが解る。また、インバーター出力が上限値以上であれば、効率が悪い運転をしていることが解る。
【図面の簡単な説明】
【００５５】
【図１】実施形態の設備機器の情報提供装置を含むＢＥＭＳを示す構成図である。
【図２】グラフ選択の画面推移を示す図である。
【図３】グラフ表示画面を示す図である。
【図４】比較データが重畳表示されたグラフを示す図である。
【図５】異常点情報を示す図である。
【図６】システムダイヤグラムを示す図である。
【図７】他のグラフ表示を示す図である。
【図８】システムダイヤグラムを示す図である。
【符号の説明】
【００５６】
１０  設備機器の情報提供装置、１２  設備システム、１４  設備機器、１６  センサ、１８  中央監視装置、２０  記録装置、２２  制御装置、２４  記憶装置、２６  入力装置、２８  出力装置、３０  グラフデータベース、３２  関連情報データベース、３４  グラフ生成部、３６  データ判定部、３８  表示制御部、５０  メニュー画面、５２  性能検証、５４  選択メニュー、５６  小分類メニュー、５８  性能確認情報、６２  全館（温水）、６４  システム系統図表示アイコン、６６  グラフ、６８  設計値・許容値表示、７０  設計値、７２  下限値、７４  上限値、７６  正常データ、７８  異常データ、８０  異常点情報、８２  システムダイヤグラム、８４  １次側温水経路、８６  ２次側温水経路、８８  熱交換器、９０  １次側熱量計、９２  ２次側熱量計、９４  グラフ、９６  性能確認情報、９８  システムダイヤグラム、１００  排気ファン、１０２  吸気ファン、１０４  検知センサ、１０６  電流計、１０８  制御内容、Ｂ  ビル。
【図１】
2006318405.tif 000003
【図２】
2006318405.tif 000004
【図３】
2006318405.tif 000005
【図４】
2006318405.tif 000006
【図５】
2006318405.tif 000007
【図６】
2006318405.tif 000008
【図７】
2006318405.tif 000009
【図８】
2006318405.tif 000010